【手続補正書】
【提出日】平成19年7月18日(2007.7.18)
【手続補正１】
【補正対象書類名】特許請求の範囲
【補正対象項目名】全文
【補正方法】変更
【補正の内容】
【特許請求の範囲】
【請求項１】
打刻点を指定して点字を入力し、入力された前記点字のイメージおよびそれに対応する墨字を表示画面に表示する文字情報処理方法であって、
前記点字を１８０度回転させる回転指示が入力されたときに、前記点字を１８０度回転させるとともに、回転後の点字に対応する墨字を前記表示画面に表示することを特徴とする文字情報処理方法。
【請求項２】
前記点字が複数のマスから成る場合、前記複数のマスを一体として１８０度回転させることを特徴とする、請求項１に記載の文字情報処理方法。
【請求項３】
前記点字を処理シートに打刻する打刻工程を備えたことを特徴とする、請求項１または２に記載の文字情報処理方法。
【請求項４】
打刻点の入力または打刻点の削除による打刻点編集を、打刻点単位で行う毎に、対応する前記点字のイメージおよび前記墨字を編集経過として表示することを特徴とする、請求項１ないし３のいずれかに記載の文字情報処理方法。
【請求項５】
前記回転指示が入力される度に、前記点字の１８０度回転を行うとともに、当該点字の回転に合わせて対応する墨字を表示することを特徴とする、請求項１ないし４のいずれかに記載の文字情報処理方法。
【請求項６】
前記点字に対応する墨字である回転前墨字と、前記１８０度回転が為されたと仮定したときの点字に対応する墨字である回転後墨字とを、前記表示画面に並べて、前記点字のイメージと共に表示し、
前記回転指示が入力されたときに、前記回転前墨字と前記回転後墨字とを１８０度回転に合わせて表示することを特徴とする、請求項１ないし５のいずれかに記載の文字情報処理方法。
【請求項７】
前記点字に対応する墨字が存在しないときに、その旨を表示することを特徴とする、請求項１ないし６のいずれかに記載の文字情報処理方法。
【請求項８】
打刻点を指定して点字を入力する点指定入力手段と、
入力された前記点字のイメージおよびそれに対応する墨字を表示画面に表示する墨字表示手段と、
前記点字を１８０度回転させる回転指示を入力する回転指示入力手段と、
前記回転指示が入力されたときに、前記点字を１８０度回転させる点字回転手段と、
を備え、
前記墨字表示手段は、前記回転指示が入力されたときに、１８０度回転後の点字に対応する墨字を前記表示画面に表示することを特徴とする文字情報処理装置。
【請求項９】
コンピュータに、請求項１ないし７のいずれかに記載の文字情報処理方法を実行させるためのプログラム。
【請求項１０】
請求項９に記載のプログラムを記憶したコンピュータ読み取り可能な記憶媒体。
【手続補正２】
【補正対象書類名】明細書
【補正対象項目名】０００７
【補正方法】変更
【補正の内容】
【０００７】
また、本発明の文字情報処理装置は、打刻点を指定して点字を入力する点指定入力手段と、入力された前記点字のイメージおよびそれに対応する墨字を表示画面に表示する墨字表示手段と、前記点字を１８０度回転させる回転指示を入力する回転指示入力手段と、前記回転指示が入力されたときに、前記点字を１８０度回転させる点字回転手段と、を備え、前記墨字表示手段は、前記回転指示が入力されたときに、１８０度回転後の点字に対応する墨字を前記表示画面に表示することを特徴とする。
【手続補正３】
【補正対象書類名】明細書
【補正対象項目名】０００９
【補正方法】変更
【補正の内容】
【０００９】
また、上述の文字情報処理方法において、前記点字が複数のマスから成る場合、前記複数のマスを一体として１８０度回転させることが好ましい。
【手続補正４】
【補正対象書類名】明細書
【補正対象項目名】００１５
【補正方法】変更
【補正の内容】
【００１５】
また、上述の各文字情報処理方法において、打刻点の入力または打刻点の削除による打刻点編集を、打刻点単位で行う毎に、対応する前記点字のイメージおよび前記墨字を編集経過として表示することが好ましい。
【手続補正５】
【補正対象書類名】明細書
【補正対象項目名】００１６
【補正方法】変更
【補正の内容】
【００１６】
この文字情報処理方法では、打刻点の入力または打刻点の削除による打刻点編集を、打刻点単位で行う毎に、対応する点字のイメージおよび墨字を編集経過として表示するので、表示画面を見ながら、編集結果を迅速に把握でき、打刻点指定の点字の編集を容易に行うことができるとともに、点字の編集結果に対応する墨字を迅速に把握でき、打刻点指定の点字の編集の操作性を、さらに向上できる。なお、具体的な対象点字が無くても、打刻点指定により各種の点字とそれに対応する墨字とを表示させることができるので、この種の操作を繰り返すことにより、点字を勉強することもできる。
【手続補正６】
【補正対象書類名】明細書
【補正対象項目名】００１７
【補正方法】変更
【補正の内容】
【００１７】
また、上述の各文字情報処理方法において、前記回転指示が入力される度に、前記点字の１８０度回転を行うとともに、当該点字の回転に合わせて対応する墨字を表示することが好ましい。
【手続補正７】
【補正対象書類名】明細書
【補正対象項目名】００１８
【補正方法】変更
【補正の内容】
【００１８】
この文字情報処理方法では、回転指示が入力される度に、１８０度回転を行って、点字の回転に合わせて対応する墨字を表示するので、誤操作等により回転させてしまっても、再度の回転指示の入力により、容易に戻すことができる。
【手続補正８】
【補正対象書類名】明細書
【補正対象項目名】００１９
【補正方法】変更
【補正の内容】
【００１９】
また、上述の各文字情報処理方法において、前記点字に対応する墨字である回転前墨字と、前記１８０度回転が為されたと仮定したときの点字に対応する墨字である回転後墨字とを、前記表示画面に並べて、前記点字のイメージと共に表示し、前記回転指示が入力されたときに、前記回転前墨字と前記回転後墨字とを１８０度回転に合わせて表示することが好ましい。
【手続補正９】
【補正対象書類名】明細書
【補正対象項目名】００２０
【補正方法】変更
【補正の内容】
【００２０】
この文字情報処理方法では、回転前墨字と、１８０度回転したと仮定したときの回転後墨字とを、表示画面に並べて表示し、回転後墨字と回転後墨字とを、回転指示の入力による１８０度回転に合わせて表示するので、点字を回転しない場合の墨字と回転した場合の墨字とを同時に確認できる。このため、どちらかが有意の（意味把握可能な）文字列となるまで点字を入力してから、回転指示を入力するか否か判断できるので、操作性が向上する。
【手続補正１０】
【補正対象書類名】明細書
【補正対象項目名】００２１
【補正方法】変更
【補正の内容】
【００２１】
また、上述の各文字情報処理方法において、前記点字に対応する墨字が存在しないときに、その旨を表示することが好ましい。
【手続補正１１】
【補正対象書類名】明細書
【補正対象項目名】００２２
【補正方法】変更
【補正の内容】
【００２２】
この文字情報処理方法では、点字に対応する墨字が存在しないときに、その旨を表示するので、ユーザはその旨（すなわち対応墨字が存在しない旨）を即座に把握できる。なお、この場合、その旨の表示には、その旨のメッセージでも良いし、その旨を示す記号を表示しても良い。また、この場合の記号としては、回転後の点字イメージを示す点字回転記号その他の記号等でも良いし、その他の簡易図形や絵文字等によって示しても良いし、回転後の墨字を記号の中に組み込んで記号化したようなものでも良い。
【手続補正１２】
【補正対象書類名】明細書
【補正対象項目名】００２３
【補正方法】変更
【補正の内容】
【００２３】
また、本発明のプログラムは、コンピュータに、上述のいずれかの文字情報処理方法を実行させるためのものであること、または、コンピュータを、上述の文字情報処理装置における各手段として機能させるためのものであることを特徴とする。また、本発明の記憶媒体は、上述のプログラムを、コンピュータ読み取り可能に記憶したことを特徴とする。
【手続補正１３】
【補正対象書類名】明細書
【補正対象項目名】００４０
【補正方法】変更
【補正の内容】
【００４０】
点字器や点字タイプライタ等で慣用されている１文字（１マス）や文字間（マス間）の仕様（以下「民間仕様」）によれば、図４に示すように、６点点字Ｂは、縦３個×横２個の６個の点（打刻ポイント：いわゆる「１の点」〜「６の点」と呼ばれる６個の点：図右上に点番号を注記）で１マス２０１が構成され、６個の点のうちの打刻点および非打刻点のパターンにより、この１マス２０１で、１文字または濁点等の属性を表現するものである、例えば図４（ａ）は、１の点、２の点、５の点、６の点を打刻点とし、３の点、４の点を非打刻点とすることにより、文字情報「し」を表現する点字（点字データ）Ｂを示す図である。
【手続補正１４】
【補正対象書類名】明細書
【補正対象項目名】００４２
【補正方法】変更
【補正の内容】
【００４２】
６点点字Ｂは、１マス２０１が縦３個×横２個の配置パターンで６個の打刻ポイント２０１ａ〜２０１ｆに分割されており、縦方向のピッチが略２．４ｍｍ、マス内の横方向のピッチが略２．１ｍｍ、マス間のピッチは略３．３ｍｍとなっている。図４では、６個の打刻ポイント２０１ａ〜２０１ｆのうち「し」を表現すべく４個の打刻ポイント２０１ａ、２０１ｂ、２０１ｅ、２０１ｆが選択的に打刻されて、テープＴ上に例えば角の丸まった円筒形、半球形、円錐形、四角錐形等の断面形状（図４（ｂ）参照）を有する４個の打刻凸部２０２ａ、２０２ｂ、２０２ｅ、２０２ｆが形成されている。なお、６点点字Ｂを打刻するためには、１マス２０１の大きさ（テープ幅方向長さ）から換算して、最低限テープ幅１２ｍｍ（テープＴ３）が必要となっている。
【手続補正１５】
【補正対象書類名】明細書
【補正対象項目名】００４６
【補正方法】変更
【補正の内容】
【００４６】
モードキーによって選択される処理モードとしては、入力された文字情報に基づいて墨字印刷および点字打刻を行う第１処理モード（図８（ａ）参照）、入力された文字情報に基づいて墨字印刷のみを行う第２処理モード（図８（ｂ）参照）、入力された文字情報に基づいて点字打刻のみを行う第３処理モード（図８（ｃ）参照）があり、いずれか１つの処理モードが選択される。
【手続補正１６】
【補正対象書類名】明細書
【補正対象項目名】００５８
【補正方法】変更
【補正の内容】
【００５８】
打刻部材８１は、テープ幅方向（図５（ａ）における上下方向）に沿って、２．４ｍｍの間隔で配列された３個の打刻ピン４１を備えており、６個のうち縦３個の打刻ポイント２０１ａ〜２０１ｃ（または２０１ｄ〜２０１ｆ）に対応していると共に、ソレノイド４７を駆動源とした直線運動をガイドするガイド部材４５によって、テープＴに対し垂直に保持されている。打刻ピン４１の頭部４１ａは、打刻した打刻凸部２０２の形状が角の丸まった円筒形、半球形、円錐形、四角錐形等の断面形状（図４（ｂ）参照）となるような形状に形成されている。
【手続補正１７】
【補正対象書類名】明細書
【補正対象項目名】００７２
【補正方法】変更
【補正の内容】
【００７２】
そして、特に第１処理モード（墨点併記）の場合、図９に示すように、テープ幅の検出結果が２４ｍｍ（テープＴ１）の場合は（図９（ａ）参照）、印刷配置部Ｅｐが上段，打刻配置部Ｅｂが下段（ａ―１：以下「点字下段」）、または印刷配置部Ｅｐが下段，打刻配置部Ｅｂが上段（ａ―２：以下「点字上段」）のいずれかのレイアウトが選択される。なお、テープＴの上下は、前後識別情報Ｄをテープ挿入方向（左向き）とし、且つ情報形成面を表側としたときの上下を指すものである。
【手続補正１８】
【補正対象書類名】明細書
【補正対象項目名】００７７
【補正方法】変更
【補正の内容】
【００７７】
また、第１処理モード（墨点併記）が選択されていたときには、図１６（ａ）の墨字画像Ｇｐ２を、必要に応じて長さ調整結果の共通配置部長さＣＬ（打刻配置部長さＢＬと印刷配置部長さＰＬの大きい方（最大値）と言う意味で、ＣＬ＝ＭＡＸ［ＢＬ，ＰＬ］）まで拡張して、その墨字画像Ｇｐ２により墨字印刷を行った後（図７のＳ１５〜Ｓ１６）、テープ挿入指示を表示し（Ｓ１７）、テープＴが手差し挿入されると、図１６（ｂ）の点字画像Ｇｂ２により点字打刻を行って（Ｓ１８〜Ｓ１９）、処理を終了する（Ｓ２７）。これにより、図１６（ｃ）の外観（画像）Ｇ２０のような墨点併記のラベルＬ２０を作成できる。
【手続補正１９】
【補正対象書類名】明細書
【補正対象項目名】００８０
【補正方法】変更
【補正の内容】
【００８０】
また、第１処理モード（墨点併記）が選択されていたときには、図１３（ａ）の墨字画像Ｇｐ０を、必要に応じて共通配置部長さＣＬまで拡張して、その墨字画像Ｇｐ０により墨字印刷を行った後（図７のＳ１５〜Ｓ１６）、テープ挿入指示を表示し（Ｓ１７）、テープＴが手差し挿入されると、図１３（ｂ）の点字画像Ｇｂ０の点字打刻を行って（Ｓ１８〜Ｓ１９）、処理を終了する（Ｓ２７）。これにより、図１３（ｃ）の外観（画像）Ｇ００のような墨点併記のラベルＬ００を作成できる。
【手続補正２０】
【補正対象書類名】明細書
【補正対象項目名】０１２２
【補正方法】変更
【補正の内容】
【０１２２】
図２０（ｂ）の例においても、同様であり、図１９で前述と同様に、「カナ正」欄の文字列と「カナ逆」欄の文字列との双方を確認し、この場合、「カナ正」欄の方は異常で「カナ逆」欄の方が正しいと把握でき（Ｄ５６）、回転指示により点字を１８０°回転させて、「カナ正」欄と「カナ逆」欄との文字列を交換表示させてから（Ｄ５７）、「カナ正」の墨字「たなか」とその点字を確定できる。
【手続補正２１】
【補正対象書類名】明細書
【補正対象項目名】０１２３
【補正方法】変更
【補正の内容】
【０１２３】
ここで、上述の例では、対応墨字が存在しない旨を点字回転記号で示したが、他の記号等でも良いし、その他の簡易図形や絵文字等によって示しても良い。また、上述の例の「な」のように回転させれば対応する墨字を示すように、例えば各種の括弧や三角や四角や丸等を付して記号化して示しても良い（例えば（な）や△内に「な」等：図２０（ｃ）参照）。
【手続補正２２】
【補正対象書類名】図面
【補正対象項目名】図１
【補正方法】変更
【補正の内容】
【図１】
2006098874.tif 000001
【手続補正２３】
【補正対象書類名】図面
【補正対象項目名】図６
【補正方法】変更
【補正の内容】
【図６】
2006098874.tif 000002